(57)【特許請求の範囲】
【請求項１】
同軸心状に挿入組付けた内周面に螺溝(4)を有する外筒体(1) と内筒体(9) との相対回転により、前記内筒体(9) に挿入組付けされて該内筒体(9) と一緒に回転する受皿体(15)を昇降変位させる棒状化粧料(K) の繰り出し容器において、前記内筒体(9)を上半分の収納筒部(13)を延出させた姿勢で、縦長のガイド孔(11)を設けた下半分のガイド筒部(10)を挿入して、前記外筒体(1) に回転自在かつ抜け出し不能に組付け、前記化粧料(K) を保持する保持筒(16)の下端から、外周面下端部に前記ガイド孔(11)に昇降変位自在かつ周方向に変位不能に遊合する遊合ピン(20)を突設した脚筒(19)を垂下設した受皿体(15)の前記内筒体(9)に対する上昇限位置を設定し、上端に前記保持筒(16)の底面を形成する底板(25)を設けて前記脚筒(19)に昇降変位可能に挿入組付きした本体筒(24)の前記脚筒(19)内から下方に延出した下端部に、前記ガイド孔(11)を貫いて螺溝(4)に螺合する螺合ピン(26)を突設した押し上げ体(23)を前記受皿体(15)に挿入組付けし、前記受皿体(15)と押し上げ体(23)との間に、該受皿体(15)に対する押し上げ体(23)の組付き高さ位置を段階的に切替える係合機能部を設けて成る繰り出し容器。
【請求項２】
係合機能部を、脚筒(19)の内周面上部に上下に間隔を開けて複数周設された係合周溝(21)と、本体筒(24)の前記脚筒(19)の内周面上部に対向する外周面上部に突周設された、前記係合周溝(21)に着脱自在に係合する係合周条(27)と、から構成した請求項１記載の繰り出し容器。
【請求項３】
保持筒(16)の高さ幅と、係合溝(21)を形成した脚筒(19)部分の高さ幅と、受皿体(15)に対して押し上げ体(23)が下降限に位置した状態での、前記脚筒(19)下端から螺合ピン(26)までの高さ幅とのそれぞれをほぼ等しくした請求項２記載の繰り出し容器。
【請求項４】
係合周溝(21)を形成した脚筒(19)部分を、外径を縮径して肉厚を減少させた縮外径部(22)とした請求項２または３記載の繰り出し容器。
【請求項５】
押し上げ体(23)を、本体筒(24)と底板(25)と係合周条(27)との一体物と、螺合ピン(26)との組合せで構成した請求項２または３または４記載の繰り出し容器。
【発明の詳細な説明】
【０００１】
【発明の属する技術分野】
本発明は、外筒体と内筒体との相対回転操作により、内筒体内の受皿体を昇降変位させて口紅等の棒状化粧料を内筒体から出し入れする構成の繰り出し容器において、受皿体の保持筒内に残存位置している化粧料を押し出し消費できるようにした繰り出し容器に関するものである。
【０００２】
【従来の技術】
外筒体と内筒体との相対回転により、内筒体内の受皿体を昇降変位させて口紅等の棒状化粧料を内筒体から出し入れする構成の繰り出し容器は、構造および取扱いが簡単で、携帯に便利であり、安価に製造できると云う優れた利点を有する反面、受皿体の保持筒内に位置した化粧料部分の利用が困難で、このためこの決して少量ではない保持筒内の残存化粧料を無駄に廃棄しなければならないこと、または利用するのがきわめて困難となることに、強い不満があった。
【０００３】
この不満を解消する従来技術として、実公昭６０ー４１８４７号公報に開示された、外筒体と内筒体との相対回転により、内筒体内の受皿体を昇降変位させて化粧料を内筒体から出し入れする構成の繰り出し容器において、上昇限に停止した受皿体内に下方から嵌入して、受皿体内の化粧料を上方に押し出す押し出し部材を、受皿体の下方に縦列配置した構成のものが知られている。
【０００４】
この従来技術は、受皿体と全く同じ構成で外筒体と内筒体との組合せ物に押し出し部材を組付け、受皿体および押し出し部材を昇降ガイドする内筒体のガイド孔の上端に、受皿体が上昇限に達した状態で、外筒体と内筒体の相対回転を可能とする横ガイド孔を連続形成し、受皿体の上昇限に達した状態での外筒体と内筒体の相対回転により、押し出し部材だけを上昇変位させて、受皿体内の化粧料を押し出し部材で上方に押し出し、これにより化粧料を無駄なく簡単に利用できるようにしたものである。
【０００５】
【発明が解決しようとする課題】
しかしながら、上記した従来技術にあっては、外筒体と内筒体との組合せ物に対して、受皿体と押し出し部材との両方を螺合組付けしているので、押し出し部材だけを上昇変位させるための構造、具体的には内筒体のガイド孔の構造が複雑となり、これにより内筒体の製造が面倒となると共に、内筒体単体の機械的強度に不安が生じることになり、さらに組立ての取扱いに充分な注意を要することになる、と云う問題があった。
【０００６】
受皿体による化粧料の繰り出し操作と、押し出し部材による化粧料の押し出し操作とは、押し出し操作の方がわずかに大きな操作力を要する点以外は全く同じであるので、繰り出し操作と連続して実施される押し出し操作が過剰に行われ易く、このため受皿体から押し出された化粧料がそのまま離脱する不都合が発生し易い、と云う問題があった。
【０００７】
押し出し部材により、受皿体内の化粧料を適正に押し出したとしても、この化粧料を容器内に繰り入れた状態では、押し出し部材が押し出された化粧料から下方に離脱するので、化粧料は、下方から支持されていない状態のまま、受皿体に中途半端に支持されて容器内に収納保持されることになり、このため携帯時等の外部からの衝撃により、簡単に受皿体から抜け出して、使用に供し得ない状態となり易い、と云う問題があった。
【０００８】
さらに、化粧料を受皿体内から押し出した状態での使用に際しては、化粧料の受皿体に対する組付きを安定させるために、押し出し部材で化粧料を下方から支持する必要があるが、化粧料を受皿体内から押し出すことなく、この化粧料の下面に押し出し部材を接触させるには、微妙な力加減と操作とを必要とし、このため取扱いが面倒で安定性が欠ける、と云う問題があった。
【０００９】
そこで、本発明は、上記した従来技術における問題点を解消すべく創案されたもので、受皿体内からの化粧料の押し出しを安全に達成すると共に、受皿体から押し出した化粧料の安定した保持を確保することを技術的課題とし、もって化粧料の安全で良好な使用と、受皿体内に残存した化粧料の無駄のない使用を、簡単にかつ安全に達成することを目的とする。
【００１０】
【課題を解決するための手段】
上記技術的課題を解決する本発明の内、請求項１記載の発明の手段は、
同軸心状に挿入組付けた内周面に螺溝を有する外筒体と内筒体との相対回転により、内筒体に挿入組付けされて内筒体と一緒に回転する受皿体を昇降変位させる棒状化粧料の繰り出し容器において、
内筒体を上半分の収納筒部を延出させた姿勢で、縦長のガイド孔を設けた下半分のガイド筒部を挿入して、外筒体に回転自在かつ抜け出し不能に組付けること、
化粧料を保持する保持筒の下端から、外周面下端部に前記ガイド孔に昇降変位自在かつ周方向に変位不能に遊合する遊合ピンを突設した脚筒を垂下設した受皿体の前記内筒体に対する上昇限位置を設定すること、
上端に保持筒の底面を形成する底板を設けて脚筒に昇降変位可能に挿入組付きした本体筒の脚筒内から下方に延出した下端部に、ガイド孔を貫いて螺溝に螺合する螺合ピンを突設した押し上げ体を受皿体に挿入組付けすること、
受皿体と押し上げ体との間に、受皿体に対する押し上げ体の組付き高さ位置を段階的に切替える係合機能部を設けること、
にある。
【００１１】
繰り出し容器からの化粧料の出し入れは、従来周知のこの種の繰り出し容器と同じく、外筒体と内筒体を相対回転させることにより達成される。
【００１２】
この化粧料の繰り出し動作は、外筒体と内筒体との相対回転により押し上げ体が上昇変位すると、押し上げ体に係合機能部で結合している受皿体が、押し上げ体と一緒に上昇変位することにより達成される。
【００１３】
繰り出し容器からの化粧料の出し入れとは別に、受皿体の保持筒内の化粧料を押し出すには、押し上げ体により受皿体を上昇限に押し上げた状態から、さらに押し上げ体を上昇させると、係合機能部における押し上げ体の受皿体に対する係合位置が強引に切替えられ、押し上げ体が受皿体に対して上昇変位し、その底板で受皿体の保持筒内の化粧料を上昇変位分だけ押し出す。
【００１４】
このように、受皿体の保持筒からの化粧料の押し出しは、化粧料の繰り出しと同じ操作で連続して行われるのであるが、繰り出し動作と押し出し動作との切り替わりには、係合機能部における押し上げ体の受皿体に対する係合位置の強引な切替えが必要であるので、繰り出し操作から押し出し操作に切り替わる際には、操作力（外筒体と内筒体とを相対回転させる力）の急激な増大を必要とし、この操作力の増大により、繰り出しから押し出しへの切り替わりを認識でき、また不要に繰り出し操作から押し出し操作に切り替わることが防止される。
【００１５】
受皿体に対する組付き高さ位置の切り替わった押し上げ体は、係合機能部により、切り替わった位置のまま受皿体への組付きが保持されるので、受皿体の保持筒内から押し出された化粧料は、その下面を押し上げ体の底板で支持された状態のままとなり、これにより化粧料の保持筒に対する組付き力の弱化を効果的に補強することになると共に、この状態を維持する。
【００１６】
また、繰り出し容器を、化粧料を収納する上半部分と、出し入れ機能部分を位置させた下半部分とに区画し、押し上げ体を出し入れ機能部分と一緒に下半部分に設けたので、押し上げ体を設けたことが、化粧料の収納に悪影響を与える恐れは全くない。
【００１７】
受皿体と押し上げ体との組合せ物に対する昇降変位力は、受皿体から下方に延出した押し上げ体の本体筒の下端部に設けられた螺合ピンに加えられ、かつこの螺合ピンと受皿体の遊合ピンとは同じガイド孔に遊合しているので、押し上げ体が下降限に達する以前に受皿体が下降限に達することはなく、このため押し上げ体が受皿体に対して相対的に下降変位することはなく、押し上げ体が残存化粧料を押し上げた状態、すなわち押し上げた残存化粧料の底面に押し上げ体の底板を接触させた状態は確実に維持される。
【００１８】
請求項２記載の発明は、請求項１記載の発明に、係合機能部を、脚筒の内周面上部に上下に間隔を開けて複数周設された係合周溝(21)と、本体筒の脚筒の内周面上部に対向する外周面上部に突周設された、係合周溝に着脱自在に係合する係合周条とから構成したことを加えたものである。
【００１９】
この請求項２記載の発明にあっては、一つの係合周条の複数の係合周溝に対する係合の切替えにより、受皿体に対する押し上げ体の組付き高さ位置が段階的に切替えられることになり、この切替えは、係合周条の係合周溝に対する係合の着脱動作に伴う機械的な抵抗と衝撃とにより、明確に認識され、また一回の切替え操作による受皿体に対する押し上げ体の組付き高さ位置の変化量は、隣接した係合周溝の間隔により、正確に設定されることになる。
【００２０】
外筒体と内筒体との相対回転により、螺合ピンを外筒体の螺溝に螺合させた押し上げ体が昇降変位するが、この押し上げ体には、係合周溝と係合周条とから構成される係合機能部を介して受皿体が結合しているので、受皿体は押し上げ体と一緒に昇降変位し、この受皿体の昇降変位により、内筒体の収納筒部からの化粧料に出し入れが行われる。
【００２１】
受皿体が上昇限に達した状態、すなわち受皿体の遊合ピンが内筒体のガイド孔上端に突き当たって繰り出し限に達した状態から、繰り出し方向への外筒体と内筒体との相対回転を強引に行うと、係合周溝と係合周条との係合に打ち勝って、上昇変位不能となった受皿体に対して押し上げ体が上昇変位し、受皿体の保持筒内に残存している化粧料を上方に押し出す。
【００２２】
押し上げ体による残存化粧料の押し出しは、上下に隣り合った係合周溝の間隔を単位として行われ、係合周条を上位の係合周溝に係合させて完了し、この状態のままで通常の出し入れ操作を行うが、これを必要回数繰り返して残存化粧料を使い切る。
【００２３】
請求項３記載の発明は、請求項２記載の発明に、受皿体の保持筒の高さ幅と、受皿体の係合溝を形成した脚筒部分の高さ幅と、受皿体に対して押し上げ体が下降限に位置した状態での、受皿体の脚筒下端から押し上げ体の螺合ピンまでの高さ幅とのそれぞれをほぼ等しくした構成、を加えたものである。
【００２４】
この請求項３記載の発明にあっては、受皿体に対する押し上げ体の上昇変位可能範囲を、受皿体の保持筒の高さ幅、すなわち保持筒内の残存化粧料の高さ幅とほぼ等しくしたので、残存化粧料の全部を保持筒内から押し出すことが可能となり、また保持筒の高さ幅と等しい高さ幅範囲にわたって複数の係合周溝を形成したので、残存化粧料の押し出し範囲の全域にわたって、受皿体と押し上げ体との強固な係合組付きが達成維持される。
【００２５】
請求項４記載の発明は、請求項２または３記載の発明に、受皿体の係合周溝を形成した脚筒部分を、外径を縮径して肉厚を減少させた縮外径部とした、ことを加えたものである。
【００２６】
この請求項４記載の発明にあっては、内周面に係合周溝を形成している脚筒の一部である縮外径部の肉厚を、他の脚筒部分に比べて、外径を縮径することによって、係合周条の係合周溝に対する係合切替えに際して、係合周溝を設けた脚筒の拡径弾性変形が行われ易くして、円滑な係合切替え動作を得ている。
【００２７】
請求項５記載の発明は、請求項２または３または４記載の発明に、押し上げ体を、本体筒と底板と係合周条との一体物と、螺合ピンとの組合せで構成した、ことを加えたものである。
【００２８】
この請求項５記載の発明にあっては、受皿体に対する押し上げ体の組付けを、受皿体の脚筒に対して押し上げ体の本体筒を上方から挿入してから、脚筒の下方に延出した本体筒の下端部に螺合ピンを嵌合組付けすることにより達成することができるので、本体筒に対して側方に突出した螺合ピンが、受皿体と押し上げ体との組立てに邪魔となることがなく、また螺合ピンを機械的強度の優れた材料製とすることにより、大きな力の加わる螺合部分の機械的耐久力を高めることができる。
【００２９】
【発明の実施の形態】
以下、本発明の実施例を、図面を参照しながら説明する。本発明による繰り出し容器は、外筒体１と、内筒体９と、受皿体１５と、押し上げ体２３と、キャップ体２８と、から構成されている。
【００３０】
外筒体１は、内周面に螺溝４を刻設した合成樹脂製の直線円筒形状をした螺筒３と、この螺筒３を不動に嵌入固定した直線円筒形状の外装筒２と、この外装筒２上端開口部に、外周面中央部に周設した突周部を外装筒２の上端内周面に当接させて嵌入固定され、突周部よりも上の筒片部分をキャップ体２８のための装着機能部分とした円筒片状の装着筒８と、から構成されている。
【００３１】
この外筒体１の螺筒３の下端開口部には、この開口部を縮径した形態で組付け周条５が形成されており、この組付け周条５の上面は、傾斜面となっている。
【００３２】
内筒体９は、略その全高さ範囲にわたって一対の縦長なガイド孔１１を開設して螺筒３に内装される、螺筒３とほぼ等しい高さの下半部であるガイド筒部１０と、このガイド筒部１０の上端に段部１４を介して拡径連設された上半部である収納筒部１３とから構成され、その全体が金属製の円筒形状となっていて、下端部に、螺筒３の組付け周条５に対して回転自在かつ昇降変位不能に係止する組付き筒片１２が縮径されて設けられている。
【００３３】
外筒体１の螺筒３の外周面上端部と外装筒２との間に、上方に開放された構成で周設形成された凹部６には、軟質合成樹脂、ゴム等の軟質弾性体から成る弾性リング７が嵌入組付けされていて、この弾性リング７の弾力により、外装筒２と螺筒３との組付きのガタ付きの発生を防止している。
【００３４】
受皿体１５は、ガイド孔１４に、昇降変位自在かつ周方向に変位不能に遊合する遊合ピン２０を外周面下端部に突設して、内筒体９のガイド筒部１０に摺動可能に嵌入する円筒形状の脚筒１９の上端に、底段部１８を介して拡径して保持筒１６を連設して構成されている。
【００３５】
保持筒１６の内周面には、化粧料Ｋの保持を強固で安定したものとする一対の保持縦条１７が対向形成されており、脚筒１９の、保持筒１６の高さ幅とほぼ等しい高さ幅の上半部分である縮外径部２２の内周面には、複数（図示実施例の場合、五つ）の係合周溝２１が上下に等間隔に並設されており、この係合周溝２１を設けた縮外径部２２は、他の脚筒１９部分に比べて外径を縮径して肉厚を小さくし、これにより拡径弾性変形し易い構造となっている。
【００３６】
押し上げ体２３は、受皿体１５の脚筒１９に昇降摺動可能に嵌入し、外周面の上部に係合周溝２１と係合して係合機能部を構成する一つの係合周条２７を突周設した円筒状の本体筒２４の上端に、保持筒１６の底面を形成して、この保持筒１６内に昇降変位可能に位置する底板２５を設けると共に、脚筒１９から下方に延出した本体筒２４の下端部に、ガイド孔１１を貫いて螺溝４と螺合する螺合ピン２６を組付けて構成されている。
【００３７】
螺合ピン２６は、本体筒２４と底板２５との一体物とは別体に構成（図３、参照）されていて、押し上げ体２３の受皿体１５に対する組付けが無理なく簡単に達成できるようにしており、またこの螺合ピン２６は、受皿体１５に対して押し上げ体２３が下降限に位置した状態で、脚筒１９の下端と螺合ピン２６の上端縁との高さ幅が保持筒１６の高さ幅と略等しくなる位置に取付けられており、これにより押し上げ体２３による保持筒１６内の残存化粧料Ｋの全部の押し出しが可能となるようにしている。
【００３８】
化粧料Ｋが保持筒１６から上方に突出している通常の状態では、図１および図２に示すように、係合周条２７を最下位の係合周溝２１に係合させて、外筒体１と内筒体９との相対回転により、化粧料Ｋに出し入れを行う。
【００３９】
この状態から、化粧料Ｋの消費がすすみ、ほぼ保持筒１６内の残存化粧料Ｋだけとなったならば、受皿体１５を繰り出し限（受皿体１５の遊合ピン２０がガイド孔１１の上端縁に突き当たる上昇限）に位置させた状態で、繰り出し方向への外筒体１と内筒体９との相対回転を強引に行うと、上昇変位不能となっている受皿体１５に対して押し上げ体２３が上昇変位し、係合周条２７の係合周溝２１に対する係合を、下位の係合周溝２１から上位の係合周溝２１に切替える（図４、参照）と共に、受皿体１５に対する上昇変位分だけ保持筒１６内の残存化粧料Ｋを上方に押し出す。
【００４０】
押し上げ体２３により所望量の残存化粧料Ｋを保持筒１６内から押し出した後は、押し出し体２３の受皿体１５に対する組付きをそのままにして、通常と同じに、外筒体１と内筒体９との相対回転による化粧料Ｋの出し入れ操作を行う。
【００４１】
【発明の効果】
本発明は、上記した構成となっているので、以下に示す効果を奏する。内筒体のガイド孔を貫いて外筒体の螺溝に螺合するのは、押し上げ体の螺合ピンだけであって、受皿体の遊合ピンは、螺溝に螺合することなく、単にガイド孔に遊合しているだけであるので、押し上げ体だけを上昇変位させるための特別な構造部分を追加する必要がなく、ガイド孔は単純な直線孔構造で良く、これにより内筒体の構造が簡単で製造がし易く、ガイド孔のために内筒体の機械的強度の低下が大きくなると云うこともなく、さらに組立て時の内筒体の取扱いが面倒となると云う不都合が生じる恐れはない。
【００４２】
化粧料の出し入れ操作と、保持筒内の残存化粧料の押し出し操作とは全く同じ操作であるものの、押し出し操作の方が遙に大きな操作力を要するので、触感により出し入れ操作と押し出し操作との切り替わりを明確にかつ確実に認識することができ、これにより化粧料を保持筒内から不要に押し出すと云う不都合の発生を確実に防止し、安全な使用状況を得ることができる。
【００４３】
残存化粧料の保持筒内からの押し出しは、係合機能部の段階的な係合の切替えにより達成され、この係合機能部の各係合の切替え時に大きな操作力が必要であるので、保持筒内の残存化粧料が一度に押し出され尽くすと云う不都合が発生する恐れは全くなく、残存化粧料の押し出しは、単位量づつ段階的に行われて、安全に達成されることになる。
【００４４】
残存化粧料を保持筒内から押し出した押し上げ体は、化粧料を押し上げた状態のまま受皿体に対する組付きを維持するので、保持筒内から押し出された残存化粧料は、その底面を押し上げ体で支持された状態のままとなり、これにより残存化粧料の受皿体に対する組付き力の低下程度を抑制し、かつ受皿体に対する組付き姿勢を安定化させるので、保持筒内から押し出した残存化粧料の安全な収納保持と繰り出し使用とを得ることができる。
【００４５】
また、上半分の化粧料収納部分に影響を与えることなしに、下半分の繰り出し機能部分内に押し上げ体を組付けることができると共に、押し上げ体を受皿体に挿入組入れしたので、新たな構造部分である押し上げ体の追加により、収納できる化粧料の量が少なくなると云う不都合を生じることなく、かつ径寸法を増大させることなく繰り出し容器を構成することができる。
【００４６】
係合機能部で連結された一方の受皿体を、内筒体のガイド孔に遊合させるだけとし、他方の押し上げ体を、ガイド孔を貫いて外筒体の螺溝に、その受皿体内から下方に延出した下端部で螺合させて、螺合結合部を一つとしたので、この種の一般的な繰り出し容器の外筒体と内筒体との組合せ物をそのまま利用することが可能であり、これにより安価にかつ簡単に実施することができ、また同一の操作で達成される繰り出し処理と押し出し処理とを、他方の処理が実施し得ない状態で行う構成となっているので、両処理を安全にかつ正確に行うことができる。
【００４７】
請求項２記載の発明にあっては、係合機能部全体を簡単でコンパクトに構成しながらも、安定して強固な係合を得ることができるので、通常の出し入れ操作時における受皿体の姿勢を適正に安定して保持すると共に、係合切替え時には比較的大きな操作力を要するので、操作の切り替わりを明確に認識することができ、操作の安全性を充分に高めることができ、さらに化粧料の押し出しを段階的に行うので、過剰に押し出すことがなく、化粧料の押し出し処理を安全に達成することができる。
【００４８】
請求項３記載の発明にあっては、受皿体の保持筒内の残存化粧料を最後まで簡単に使用することができると共に、押し上げ体を追加組付けすることによる、繰り出し容器の高さ寸法の増大を抑制することができる。
【００４９】
請求項４記載の発明にあっては、押し出し処理時における係合周溝に対する係合周条の係合切り替わりを、弾性変形を利用して無理なく円滑に達成することができるので、押し出し操作に過大な力を要すると云う不都合の発生を阻止すると共に、押し出し操作力を適正値に設定することができる。
【００５０】
請求項５記載の発明にあっては、押し上げ体の受皿体に対する組付けを無理なく簡単に達成することができ、また螺合ピンだけを、螺合結合に要求される高い機械的強度の材料製とすることができるので、安定して良好な螺合結合を長期間にわたって保つことができる。
【図面の簡単な説明】
【図１】  本発明の一実施例を示す、非使用状態時の全体縦断面図。
【図２】  図１に示した実施例の、要部拡大図。
【図３】  図１に示した実施例の、螺合ピン部分の拡大平断面図。
【図４】  図１に示した実施例の、押し出し操作時の要部拡大縦断面図。
【符号の説明】
１ ； 外筒体
２ ； 外装筒
３ ； 螺筒
４ ； 螺溝
５ ； 組付け周条
６ ； 凹部
７ ； 弾性リング
８ ； 装着筒
９ ； 内筒体
１０； ガイド筒部
１１； ガイド孔
１２； 組付き筒片
１３； 収納筒部
１４； 段部
１５； 受皿体
１６； 保持筒
１７； 保持縦条
１８； 底段部
１９； 脚筒
２０； 遊合ピン
２１； 係合周溝
２２； 縮外径部
２３； 押し上げ体
２４； 本体筒
２５； 底板
２６； 螺合ピン
２７； 係合周条
２８； キャップ体
Ｋ ； 化粧料
【図１】
0003834667.tif 000002
【図２】
0003834667.tif 000003
【図３】
0003834667.tif 000004
【図４】
0003834667.tif 000005